(57)【要約】【課題】泡が浴槽に衝突して生じる再起泡を抑制し、水および泡を吐出する吐出具を提供する。【解決手段】吐出具１は、浴槽９０へ水および泡を吐出する。吐出具１は、吐出口１３が上下２段に分けられており、下段側の第１吐出口１３ａは泡を吐出し、上段側の第２吐出口１３ｂは水を吐出する。これにより、吐出具１は、第１吐出口１３ａが下段側にあり、浴槽９０またはフランジ部９０ａの表面に近い高さに配置されている。【選択図】図１
2017169799.tif 000002
【特許請求の範囲】
【請求項１】
浴槽へ水および泡を吐出する吐出具であって、
吐出口が上下２段に分けられており、下段側の第１吐出口は泡を吐出し、上段側の第２吐出口は水を吐出することを特徴とする吐出具。
【請求項２】
前記第２吐出口の幅が、前記第１吐出口よりも広いことを特徴とする請求項１に記載の吐出具。
【請求項３】
前記第１吐出口が一端部に形成された第１通流路の他端部側に連結されており、前記浴槽に設けた孔に挿通して固定される第１流入管と、
前記第２吐出口が一端部に形成された第２通流路の他端部側に連結されており、前記浴槽に設けた孔に挿通して固定される第２流入管と、を有し、
前記第２流入管は、前記第１流入管の側方に設けられていることを特徴とする請求項１または２に記載の吐出具。
【請求項４】
前記第２流入管は、前記第１流入管の両側に設けられていることを特徴とする請求項３に記載の吐出具。
【発明の詳細な説明】
【技術分野】
【０００１】
本発明は、浴槽に用いる吐出具に関する。
【背景技術】
【０００２】
特許文献１には、配管を兼ねた脚部を備え、浴槽のフランジ部に設けた挿通孔に挿通させて固定された吐出具が開示されている。吐出具は、脚部に切替装置を介して湯水供給装置および泡供給装置が接続されており、選択的に吐出口から泡または水を吐出する。
【先行技術文献】
【特許文献】
【０００３】
【特許文献１】特開２０１１−１３０９１１号公報
【発明の概要】
【発明が解決しようとする課題】
【０００４】
特許文献１に記載の吐出具は、肩掛け湯を吐出するために吐出口が浴槽から離れた位置に設けられているので、該吐出口から泡を吐出した際に、泡が浴槽の表面と衝突する。衝突により受ける力で泡同士の仕切りが破れる再起泡が生じ、大きな泡に変化してしまうという問題点があった。
【０００５】
本発明は、斯かる事情に鑑みてなされたものであり、その目的とするところは、泡が浴槽に衝突して生じる再起泡を抑制し、水および泡を吐出する吐出具を提供することにある。
【課題を解決するための手段】
【０００６】
本発明に係る吐出具は、浴槽へ水および泡を吐出する吐出具であって、吐出口が上下２段に分けられており、下段側の第１吐出口は泡を吐出し、上段側の第２吐出口は水を吐出することを特徴とする。
【０００７】
本発明にあっては、吐出具は、浴槽へ水および泡を吐出する。吐出具は、吐出口が上下２段に分けられており、下段側の第１吐出口は泡を吐出し、上段側の第２吐出口は水を吐出する。これにより、吐出具は、泡が浴槽に衝突して生じる再起泡を抑制することができる。
【発明の効果】
【０００８】
本発明によれば、吐出具は、吐出口が上下２段に分けられており、下段側の第１吐出口は泡を吐出し、上段側の第２吐出口は水を吐出するので、泡が浴槽に衝突して生じる再起泡を抑制することができる。
【図面の簡単な説明】
【０００９】
【図１】実施形態１に係る吐出具を含む浴槽装置の構成図である。
【図２】吐出具の正面図である。
【図３】吐出具の平面図である。
【図４】吐出具の使用状態を説明するための模式図である。
【発明を実施するための形態】
【００１０】
以下、本発明を好適な実施の形態をもとに図１から図４を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態１）
図１は実施形態１に係る吐出具１を含む浴槽装置１００の構成図であり、図２は吐出具１の正面図であり、図３は吐出具１の平面図である。浴槽装置１００は、湯を溜める浴槽９０、壁パネル９１、吐出具１、供給装置２、止水弁３ａおよび止水弁３ｂを有する。浴槽９０は、フランジ部９０ａに吐出具１が取り付けられており、吐出具１から吐出される水および泡を溜める。壁パネル９１は、浴槽９０のフランジ部９０ａに載置されている。壁パネル９１は、浴槽９０および図示しない洗い場の四方を他の壁パネルとともに囲んで浴室空間を形成する。
【００１２】
供給装置２は、浴槽９０に溜められた水を吸い込んで吐出具１に水および泡を供給するポンプ装置である。供給装置２は、図１に示す浴槽９０に溜められた水の循環系によるもの以外にも、給湯装置から取水するものでもよい。供給装置２から吐出具１へ給水する配管は、止水弁３ａおよび３ｂを介して、吐出具１に接続される。供給装置２、止水弁３ａおよび３ｂは、浴槽９０の裏側に設けられている。これに対し、吐出具１は、浴室空間内側である浴槽９０の表面側に取り付けられている。なお、供給装置２は、水を吐出具１へ供給するものであってもよく、この場合、吐出具１内にエゼクターを設けて、泡を生成するようにしてもよいが、泡の生成手段は、該エゼクターによるものに限られるものではない。
【００１３】
吐出具１は、第１流入管１１ａ、第２流入管１１ｂ、第１通流路１２ａ、第２通流路１２ｂ、第１吐出口１３ａおよび第２吐出口１３ｂを備える。第１流入管１１ａは、止水弁３ａからの配管に接続される。第２流入管１１ｂは、止水弁３ｂからの配管に接続される。第１流入管１１ａおよび第２流入管１１ｂは、浴槽９０のフランジ部９０ａに設けた孔に挿入して固定されている。第２流入管１１ｂは、第１流入管１１ａに対して、後述する第１通流路１２ａの通流方向に交差する方向に設けられている。第１吐出口１３ａおよび第２吐出口１３ｂを正面側として、吐出具１を正面から見ると、第２流入管１１ｂは、第１流入管１１ａの両側方に設けられている。尚、第２流入管１１ｂは、吐出具１を正面から見て左右２箇所に設けられており、止水弁３ｂから下流側で２分岐させた配管が接続される。また、第２流入管１１ｂは、１つ設けるようにしてもよい。
【００１４】
第１通流路１２ａは、第１流入管１１ａ内の流入路に一端側で連通し、他端側に第１吐出口１３ａが設けられている。第１吐出口１３ａは、浴室空間側に臨み、浴槽９０内へ泡を吐出する。第１通流路１２ａは、第１吐出口１３ａから吐出される泡が第１吐出口１３ａの幅方向に均一な流速となるように内部に適宜拡幅域を設ける。第２通流路１２ｂは、第２流入管１１ｂ内の流入路に一端側で連通し、他端側に第２吐出口１３ｂが設けられている。第２吐出口１３ｂは、浴室空間側に臨み、浴槽９０内へ水を吐出する。第２通流路１２ｂは、第２吐出口１３ｂから吐出される水が第２吐出口１３ｂの幅方向に均一な流速となるように内部に適宜拡幅域を設ける。
【００１５】
吐出具１の吐出口１３は上下２段で構成されており、下段側に第１吐出口１３ａが、上段側に第２吐出口１３ｂが設けられている。第２吐出口１３ｂの幅は、第１吐出口１３ａの幅よりも広い。第１吐出口１３ａからは泡が、第２吐出口１３ｂからは水が吐出される。第１吐出口１３ａは、浴槽９０またはフランジ部９０ａの表面に近い高さに配置されている。また、第２吐出口１３ｂは、吐出する水が入浴者の肩辺りにかかるような高さに配置するとよい。
【００１６】
次に吐出具１の動作について説明する。図４は吐出具１の使用状態を説明するための模式図である。止水弁３ａを開状態に、止水弁３ｂを閉状態とすることにより、供給装置２から第１流入管１１ａに供給された泡が、第１通流路１２ａを通って、第１吐出口１３ａから浴槽９０に吐出される。第２吐出口１３ｂは、水を吐出していない状態となる。
【００１７】
第１吐出口１３ａは、吐出口１３において下段側にあり、浴槽９０またはフランジ部９０ａの表面に近い高さに配置されている。このため、第１吐出口１３ａから浴槽９０に吐出される泡の落下高さは小さく、再起泡の発生が抑制される。第２吐出口１３ｂからは水が吐出されていないので、第１吐出口１３ａから吐出される泡を水によって潰してしまうことはない。
【００１８】
止水弁３ａを閉状態に、止水弁３ｂを開状態とすることにより、供給装置２から第２流入管１１ｂに供給された水が、第２通流路１２ｂを通って、第２吐出口１３ｂから浴槽９０に吐出される。第１吐出口１３ａは、泡を吐出していない状態となる。
【００１９】
第２吐出口１３ｂは、吐出口１３において上段側にあり、浴槽９０またはフランジ部９０ａよりもやや高い位置に配置されている。第２吐出口１３ｂから吐出される水は、流速を適度に定めることによって、入浴者の肩あたりにかかるように調整されている。第２吐出口１３ｂの幅は、第１吐出口１３ａより広いので、入浴者の肩幅全体に水をかけることができる。
【００２０】
上述のように、第２流入管１１ｂは、第１流入管１１ａに対して、第１通流路１２ａの通流方向に交差する方向に設けられている。吐出具１を正面から見ると、第２流入管１１ｂは、第１流入管１１ａの両側方に設けられている。浴槽９０のフランジ部９０ａは、内周縁から壁パネル９１までの寸法が限られている。したがって、吐出具１は、第１通流路１２ａおよび第２通流路１２ｂの通流方向における寸法を小さくすることが望ましい。そのため、第２流入管１１ｂは、吐出具１を正面から見て、第１流入管１１ａの側方に設けられている。また、第２吐出口１３ｂの幅は第１吐出口１３ａよりも広いので、第２流入管１１ｂを２つ設け、幅方向の２箇所から第２通流路１２ｂに水を流入させることで、第２吐出口１３ｂから吐出させる水の流速をより均一なものとする。
【００２１】
次に、実施形態の吐出具１の特徴を説明する。
本発明の実施形態１の吐出具１は、浴槽９０へ水および泡を吐出する。吐出具１は、吐出口１３が上下２段に分けられており、下段側の第１吐出口１３ａは泡を吐出し、上段側の第２吐出口１３ｂは水を吐出する。これにより、吐出具１は、第１吐出口１３ａが下段側にあり、浴槽９０またはフランジ部９０ａの表面に近い高さに配置されているので、第１吐出口１３ａから吐出された泡が浴槽９０の表面に衝突して生じる再起泡を抑制することができる。
【００２２】
また吐出具１は、第２吐出口１３ｂの幅が、第１吐出口１３ａよりも広いので、入浴者の肩幅全体に水をかけることができる。
【００２３】
また吐出具１は、浴槽９０に設けた孔に挿通して固定される第１流入管１１ａおよび第２流入管１１ｂを有する。第１流入管１１ａは、第１吐出口１３ａが一端部に形成された第１通流路１２ａの他端部側に連結されている。第２流入管１１ｂは、第２吐出口１３ｂが一端部に形成された第２通流路１２ｂの他端部側に連結されている。第２流入管１１ｂは、第１流入管１１ａの側方に設けられている。これにより、吐出具１は、第１通流路１２ａおよび第２通流路１２ｂの通流方向における寸法を小さくすることができ、内周縁から壁パネル９１までの寸法が限られる浴槽９０のフランジ部９０ａに納まるサイズとすることができる。
【００２４】
また吐出具１は、第２流入管１１ｂが第１流入管１１ａの両側に設けられている。第２吐出口１３ｂの幅は第１吐出口１３ａよりも広いので、第２流入管１１ｂを２つ設け、幅方向の２箇所から水を第２通流路１２ｂに流入させることで、第２吐出口１３ｂから吐出させる水の流速をより均一なものとすることができる。
【００２５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００２６】
１  吐出具、  １１ａ  第１流入管、  １１ｂ  第２流入管、
１２ａ  第１通流路、  １２ｂ  第２通流路、
１３  吐出口、  １３ａ  第１吐出口、  １３ｂ  第２吐出口、９０  浴槽。
【図１】
2017169799.tif 000003
【図２】
2017169799.tif 000004
【図３】
2017169799.tif 000005
【図４】
2017169799.tif 000006